(57)【要約】【課題】強い外力が加わっても、採光パネルがパネル保持材から外れ難い、施工の容易な採光目隠し構造体を提供する。【解決手段】パネル本体１ａの巾方向両側にそれぞれ内方に曲がった係合部１ｂ，１ｂを形成した長尺パネル１と、前記長尺パネル１の係合部１ｂ，１ｂに外嵌着させる保持係合部２ｂ，２ｂを形成した外れ防止材２と、前記長尺パネル１のそれぞれの係合部１ｂ，１ｂを外嵌着させる支持端部３ｂ，３ｂを備えた固定材３とからなり、前記長尺パネル１の各係合部１ｂ，１ｂを固定材３の支持端部３ｂ，３ｂに外嵌着させると共に、外れ防止材２の保持係合部２ｂ，２ｂを長尺パネル１の係合部１ｂ，１ｂに外嵌着させて、長尺パネル１を固定材３に取付けた構成とする。【選択図】図１
2006274737.tif 000002
【特許請求の範囲】
【請求項１】
パネル本体の巾方向両側にそれぞれ内方に曲がった係合部を形成した長尺パネルと、
前記長尺パネルの係合部に外嵌着させる保持係合部を形成した外れ防止材と、
前記長尺パネルのそれぞれの係合部を外嵌着させる支持端部を備えた固定材とからなり、
前記長尺パネルの各係合部を固定材の支持端部に外嵌着させると共に、外れ防止材の保持係合部を長尺パネルの係合部に外嵌着させて、長尺パネルを固定材に取付けたことを特徴とする採光目隠し構造体。
【請求項２】
長尺パネルの係合部が内方に弯曲して形成されていると共に、外れ防止材の保持係合部が長尺パネルの係合部と略同じ弯曲形状に形成されていることを特徴とする請求項１に記載の採光目隠し構造体。
【請求項３】
外れ防止材が短尺材であって、長尺パネルが取付けられた固定材の近傍に取付けられていることを特徴とする請求項１又は請求項２に記載の採光目隠し構造体。
【請求項４】
外れ防止材が短尺材であって、長尺パネルが取付けられた固定材の両側近傍に取付けられていることを特徴とする請求項１ないし請求項３のいずれかに記載の採光目隠し構造体。
【請求項５】
外れ防止材が長尺材であって、長尺パネルが取付けられた固定材間に亘って取付けられていることを特徴とする請求項１又は請求項２に記載の採光目隠し構造体。
【発明の詳細な説明】
【技術分野】
【０００１】
本発明は、駐輪場やカーポートの側面、採光柵、マンション・住宅等の目隠し用外柵などとして利用されるフェンス、面格子、ルーバー等の採光目隠し構造体に関するものである。
【背景技術】
【０００２】
近年の住宅事情は、機能面だけでなく、人々の心理的な豊かさを探求したものが注目を浴びている。しかしながら、従来のマンション・住宅等のフェンス、面格子、ルーバー等の目隠し構造体は、とかく機能優先で、快適性やアメニティ感覚とは程遠いものであった。
【０００３】
そこで本出願人は、都市の景観を向上させ、しかも、機能的にも優れた目隠しフェンスとして、「長手方向に延びる嵌合端部を有する支柱を間隔を隔てて複数本立設し、羽根板材の係合片部が嵌脱される係合部を両端部に備えた本体部分と支柱の嵌合溝部に差し込まれる基部とを有する羽根板保持部材の上記基部を上記支柱の嵌合端部に係合保持させると共に、各羽根板保持部材の係合部に羽根板材の係合片部を嵌合させてその羽根板材を水平姿勢で取り付けてある目隠しフェンス」を提案した（特許文献１）。
【０００４】
この目隠しフェンスは、施工が容易であり、採光性のある羽根板材を使用すれば、優れた採光性はもちろんのこと、羽根板材の選択により好みのカラーと希望の採光量に設定することができ、現代の市場ニーズに応えるものであった。
【０００５】
しかしながら、上記の目隠しフェンスは、台風のときなど、強い外力（風圧）が羽根板材に加わると羽根板材が弓なりに変形しようとして羽根板材の両端が中央に向かって引っ張られて、羽根板材の係合片部が変形し羽根板保持部材の係合部から外れたり、羽根板材の係合片部が熱などの影響で変形して羽根板保持部材の係合部から外れたりして、羽根板材が脱落することがあった。
【特許文献１】実公平７−４４６９０号公報
【発明の開示】
【発明が解決しようとする課題】
【０００６】
本発明は上記の事情に鑑みてなされたもので、強い外力が加わっても、長尺パネルが固定材から外れ難く、施工の容易な採光目隠し構造体を提供することを解決課題としている。
【課題を解決するための手段】
【０００７】
上記目的を達成するため、本発明に係る採光目隠し構造体は、パネル本体の巾方向両側にそれぞれ内方に曲がった係合部を形成した長尺パネルと、前記長尺パネルの係合部に外嵌着させる保持係合部を形成した外れ防止材と、前記長尺パネルのそれぞれの係合部を外嵌着させる支持端部を備えた固定材とからなり、前記長尺パネルの各係合部を固定材の支持端部に外嵌着させると共に、外れ防止材の保持係合部を長尺パネルの係合部に外嵌着させて、長尺パネルを固定材に取付けたことを特徴とするものである。
【０００８】
本発明の採光目隠し構造体においては、長尺パネルの係合部が内方に弯曲して形成されていると共に、外れ防止材の保持係合部が長尺パネルの係合部と略同じ弯曲形状に形成されていることが好ましい。そして、外れ防止材が短尺材であって、長尺パネルが取付けられた固定材の近傍に取付けられていることが好ましく、外れ防止材が短尺材であって、長尺パネルが取付けられた固定材の両側近傍に取付けられているとより好ましい。また、外れ防止材が長尺材であって、長尺パネルが取付けられた固定材間に亘って取付けられていることも好ましい。
【発明の効果】
【０００９】
本発明の採光目隠し構造体は、長尺パネルの係合部に外嵌着させた外れ防止材の保持係合部によって、長尺パネルの係合部が拡開変形し難いように押さえているため、長尺パネルに大きい外力（風圧等）などが作用しても、長尺パネルの係合部が拡開変形して固定材の支持端部から外れて長尺パネルが脱落することはない。
【００１０】
そして、長尺パネルの係合部が内方に弯曲して形成されていると共に、外れ防止材の保持係合部が長尺パネルの係合部と略同じ弯曲形状に形成された採光目隠し構造体は、長尺パネルの係合部を固定材の支持端部にスムーズ且つ確実に外嵌着させることができるようになり、さらに、外嵌着後は保持係合部が係合部に密着しているので保持力が強固になる。一方、外れ防止材の保持係合部も長尺パネルの係合部にスムーズ且つ確実に外嵌着させることができるようになる。
【００１１】
また、外れ防止材が短尺材であって、長尺パネルが取付けられた固定材の近傍に取付けられている採光目隠し構造体は、外れ防止材を固定材の近傍に取付けているので、外れ防止材が短尺材であっても、長尺パネルの係合部の拡開変形が十分に抑制され、長尺パネルが固定材の支持端部から脱落することはなくなる。
【００１２】
更に、外れ防止材が短尺材であって、長尺パネルが取付けられた固定材の両側近傍に取付けられている採光目隠し構造体は、外れ防止材を固定材の両側近傍に取付けているので、外れ防止材が短尺材であっても、長尺パネルの係合部の拡開変形が更に抑制されるので、長尺パネルの脱落をより確実に防止できるようになる。
【００１３】
また、外れ防止材が長尺材であって、長尺パネルが取付けられた固定材間に亘って取付けられている採光目隠し構造体は、長尺パネルの固定材間に亘って取付けられた長尺の外れ防止材によって長尺パネルの剛性が高められるため、大きい外力（風圧等）を受けても長尺パネルが弓なりに変形し難くなり、しかも、外れ防止材の保持係合部によって長尺パネルの係合部の拡開変形も阻止されるので、長尺パネルが固定材から脱落するのを防止することができる。
【発明を実施するための最良の形態】
【００１４】
以下、図面を参照して本発明の具体的な実施形態を詳述する。
【００１５】
図１は本発明の一実施形態に係る採光目隠し構造体の斜視図、図２は同構造体の側面図、図３は同構造体の正面図、図４は同構造体の平面図である。
【００１６】
図１に示す採光目隠し構造体Ａは、複数枚の長尺パネル１と、長尺パネル１に外嵌着させる複数の外れ防止材２と、長尺パネル１を支持する左右一対の固定材３とからなるのものであって、固定材３は、躯体４に立設された一対の支柱５に取付けられている。
【００１７】
長尺パネル１は、図１、図２に示すように、長尺板状のパネル本体１ａの巾方向両端に、同一側（裏面側）の内方に弯曲する略半円状の係合部１ｂ，１ｂを曲成したもので、ポリカーボネート等の合成樹脂で押出成形された長さが１５０〜３００ｃｍ程度、巾が５〜１５ｃｍ程度、板厚が略１〜２ｍｍ程度で、光線透過率が約５０％〜９０％に調整された目隠し機能と採光性を有するものが好適に用いられる。なお、係合部１ｂは必ずしも弯曲されている必要はなく、屈曲して形成されていてもよいが、固定材３への取り付け、外れ防止材２の取付けが容易性を考慮すると、弯曲形成されているのが好ましい。
【００１８】
長尺パネル１に外嵌着させる外れ防止材２は、図１、図２に示すように、帯状の本体２ａの両端に、上記長尺パネル１の係合部１ｂ，１ｂに裏面側から外嵌着させる保持係合部２ｂ，２ｂを形成した短尺材であって、長尺パネル１と同様の合成樹脂で成形された厚さ１〜２ｍｍ程度、巾１０〜３０ｍｍ程度の短尺の外れ防止材２が好ましく使用される。特に、上記の長尺パネル１と同じ形状をなした１０〜３０ｍｍ程度の巾寸法のものは、保持係合部２ｂが係合部１ｂに密着して強固に嵌着されるので保持力が強固となるので好ましく用いられる。このような形状の外れ防止材２は、射出成形や押出し成形で作製されるが、長尺パネル１を上記巾寸法に切断することで極めて容易に作製できる。この切断された外れ防止材２であると、長尺パネル１と同材質であるので、嵌着させた後、表面側から観察しても見ることが困難であり、外観が美麗となる。さらに、このように長尺パネル１と同じ形状の短尺の外れ防止材２は、その保持係合部２ｂ，２ｂの一方を長尺パネル１の一方の係合部１ｂに係合した後に、他方の保持係合部２ｂを引っ張りながら他方の係合部１ｂに係合することで容易に外嵌着することができる。このようにして外嵌着すると、長尺パネル１の係合部１ｂが拡開変形しようとする場合に、外れ防止材２の本体２ａを上下に引っ張ろうとすると共に保持係合部２ｂを変形させようとするが、係合部１ｂと保持係合部２ｂとが強固に密着しているので、それらの変形が防止されて拡開変形をなくすことができる。このように、外れ防止材２は長尺パネル１の係合部１ｂ，１ｂを拡開変形しないように押さえる力が大きく、より確実に係合部１ｂ，１ｂの拡開変形を阻止して長尺パネル１の脱落を防止できる。
【００１９】
長尺パネル１を支持する固定材３は、アルミニウム等の金属又は合成樹脂で成形されたもので、図１、図２、図４に示すように、断面形状が略凹型の基部３ａと、その基部３ａの左右に一定間隔をあけて左右一対づつ突設された突片３０，３０を上下に一定間隔を開けて設けられており、この突片３０の両端には、長尺パネル１の係合部１ｂ，１ｂを外嵌着させる略半円状の支持端部３ｂ，３ｂが形成されている。この固定材３は、図１に示すように、ビス等の止具３３で、躯体４に立設された一対の支柱５にそれぞれ取付けられているが、直接躯体４や地面に立設させてもよい。
【００２０】
図１、図２に示すように、この実施形態の採光目隠し構造体Ａは、各長尺パネル１の両端部の係合部１ｂ，１ｂを左右一対の固定材３，３の支持端部３ｂ，３ｂに外嵌着させることによって、複数枚の長尺パネル１が上下に小さな隙間を開けて横方向に並行して固定材３，３に支持されている。そして、図１、図３、図４に示すように、各長尺パネル１の固定材３，３より外側の近接した部分、つまり各長尺パネル１の両端部付近には、外れ防止材２，２の保持係合部２ｂ，２ｂを長尺パネル１の裏面側から係合部１ｂ，１ｂに外嵌着させることによって、外れ防止材２，２が取付けられている。この外れ防止材２，２は、長尺パネル１の脱落防止効果をより高めるために、接着剤を用いて長尺パネル１の両端部に接着固定してもよい。
【００２１】
このような採光目隠し構造体Ａは、外れ防止材２の保持係合部２ｂ，２ｂによって長尺パネル１の両端部の係合部１ｂ，１ｂが拡開変形し難いように外嵌着されて押さえられているため、台風のときなど長尺パネル１に大きい外力（風圧）が作用しても、長尺パネル１の両端部の係合部１ｂ，１ｂが拡開変形して固定材３の支持端部３ｂ，３ｂから外れることはなく、また、大きい風圧を受けて長尺パネル１が弓なりに変形しようとして、その両端が中央に向かって引っ張られて羽根板材の係合片部が変形し、固定材３の支持端部３ｂ，３ｂから長尺パネル両端部の係合部１ｂ，１ｂが外れそうになっても、外れ防止材２により長尺パネル１の係合部１ｂの拡開変形が防止されて、長尺パネル両端の係合部１ｂ，１ｂが固定材３の支持端部３ｂ，３ｂから外れることはない。従って、この採光目隠し構造体Ａは、大きい外力（風圧）を受けても長尺パネル１が固定材３，３から脱落する心配はなく、長尺パネル１によって適度な採光と十分な目隠し機能を発揮することができる。
【００２２】
特に、外れ防止材２として長尺パネル１と同形状の１０〜３０ｍｍ巾のものを使用した場合は、既述したように、外れ防止材２の保持係合部２ｂ，２ｂによる長尺パネル１の係合部１ｂ，１ｂを拡開変形しないように押さえる力が大きいため、より確実に係合部１ｂ，１ｂの拡開変形を阻止することができる。そして、外れ防止材２の取付けも極めて容易となる。
【００２３】
また、この採光目隠し構造体Ａのように、外れ防止材２を長尺パネル１の両端部に裏面側から取付けると、表面側（正面側）から眺めたときに外れ防止材２の両端の保持係合部２ｂ，２ｂがわずかに見えるだけで殆ど目立たないため、外観を損なう心配もない。そして、外れ防止材２が長尺パネル１と同材質であると、厚さが二倍になるのみであるので、外観状見えることは殆どない。
【００２４】
上記の採光目隠し構造体Ａでは、長尺パネル１の固定材３より外側の近接部分に外れ防止材２を取付けているが、長尺パネル１の固定材３より内側の近接部分に外れ防止材２を取付けてもよい。この場合であっても、同様の作用により、外れ防止材２の保持係合部２ｂ，２ｂによって長尺パネル１の係合部１ｂ，１ｂの拡開変形を阻止できるので、長尺パネル１は脱落し難くなる。
【００２５】
また、上記の採光目隠し構造体Ａでは、外れ防止材２を長尺パネル１の両端部の裏面側から取付けているが、表面側から取付けるようにしても同様の作用をなし、長尺パネル１の係合部１ｂ，１ｂの拡開変形を阻止できて、長尺パネル１の脱落を防止できる。なお、外れ防止材２の色等を適宜選択することによって外れ防止材２が装飾的なアクセントとなり、却って美観が向上する場合もある。
【００２６】
更に、上記の採光目隠し構造体Ａでは、長尺パネル１を上下方向に複数枚並設して支持させているが、固定材３，３を上下に配置して長尺パネル１を横方向に複数枚並設して支持させるようにしても勿論よい。
【００２７】
図５は他の実施形態に係る採光目隠し構造体の正面図、図６は同構造体の平面図である。
【００２８】
図５、図６に示す採光目隠し構造体Ｂは、長尺パネル１の裏面側から、長尺パネル１の固定材３の両側の近接した部分に、それぞれ外れ防止材２，２を取付けたものである。
この採光目隠し構造体Ｂの他の構成は、前述した図１〜図４に示す実施形態の採光目隠し構造体Ａと同様であるから、説明を省略する。
【００２９】
このような採光目隠し構造体Ｂは、長尺パネル１の固定材３の両側の近接した部分２箇所に、それぞれ外れ防止材２が取付けられているので、より確実に長尺パネル１の係合部１ｂ，１ｂの拡開変形が防止される。そして、長尺パネル１が弓なりに変形しようとして羽根板材の係合片部に変形する力が加わっても、両側の２枚の外れ防止材２が当該変形を防止するために、相当に強い外力（風圧）が長尺パネル１に加わっても、長尺パネル１が脱落することは皆無に等しくなる。
【００３０】
図７は更に他の実施形態に係る採光目隠し構造体の正面図、図８は同構造体の平面図である。
【００３１】
図７、図８に示す採光目隠し構造体Ｃは、前述した採光目隠し構造体Ａ、Ｂと同様に、長尺パネル１を固定材３に支持させ、長尺の外れ防止材２を長尺パネル１の裏面側から取付けたものである。
【００３２】
この実施形態の外れ防止材２は、一対の固定材３，３の相互間隔と略同一の長さを有した長尺材であって、特に、長尺パネル１と同じ形状の長尺の外れ防止材２は、その長尺の保持係合部２ｂ，２ｂによって長尺パネル１の係合部１ｂ，１ｂが拡開変形しないように強く押えられるので、極めて好ましく使用される。このような長尺の外れ防材２は、長尺パネル１を切断することにより、極めて容易に作製することができる。
この長尺の外れ防止材２は、図７、図８に示すように、長尺パネル１の固定材３と固定材３の相互間の部分に、長尺パネル１の裏面側から外れ防止材２の保持係合部２ｂ，２ｂを長尺パネル１の係合部１ｂ，１ｂに外嵌着して取付けられている。
【００３３】
この採光目隠し構造体Ｃの他の構成は、前述した図１〜図６に示す実施形態の採光目隠し構造体Ａ、Ｂと同様であるから、説明を省略する。
【００３４】
このような採光目隠し構造体Ｃは、長尺パネル１の固定材３，３の相互間の部分に取付けられた外れ防止材２によって長尺パネル１の剛性が高められるため、大きい外力（風圧）を受けても長尺パネル１が弓なりに変形し難くなり、しかも、外れ防止材２の保持係合部２ｂ，２ｂによって長尺パネル１の係合部１ｂ，１ｂの拡開変形も阻止されるので、長尺パネル１の両端部の係合部１ｂ，１ｂが固定材３，３の支持端部３ｂ，３ｂから外れて長尺パネル１が脱落するのを防止することができる。
【００３５】
なお、この採光目隠し構造体Ｃでは、長尺の外れ防止材２を長尺パネル１の裏面側から取付けているが、長尺パネル１の表面側から取付けてもよいことは言うまでもない。
【図面の簡単な説明】
【００３６】
【図１】本発明の一実施形態に係る採光目隠し構造体の斜視図である。
【図２】同構造体の側面図である。
【図３】同構造体の正面図である。
【図４】同構造体の平面図である。
【図５】他の実施形態に係る採光目隠し構造体の正面図である。
【図６】同構造体の平面図である。
【図７】更に他の実施形態に係る採光目隠し構造体の正面図である。
【図８】同構造体の平面図である。
【符号の説明】
【００３７】
Ａ、Ｂ、Ｃ  採光目隠し構造体
１          長尺パネル
１ａ        パネル本体
１ｂ        係合部
２          外れ防止材
２ｂ        保持係合部
３          固定材
３ｂ        支持端部
【図１】
2006274737.tif 000003
【図２】
2006274737.tif 000004
【図３】
2006274737.tif 000005
【図４】
2006274737.tif 000006
【図５】
2006274737.tif 000007
【図６】
2006274737.tif 000008
【図７】
2006274737.tif 000009
【図８】
2006274737.tif 000010